(57)【特許請求の範囲】
【請求項１】
リボンテープを係止することによりリング状のタグを形成するためのリボン作成方法であって、
前記タグの種類を選択するタグ選択ステップと、
印刷情報を取得する印刷情報取得ステップと、
取得した前記印刷情報に基づく印刷画像と、係止用の留め具の取り付け位置を示す取り付けマークとを、前記リボンテープに印刷するリボン作成ステップと、を実行し、
前記リボン作成ステップは、選択された前記タグの種類に応じて、前記リボンテープ上における前記印刷画像および前記取り付けマークの印刷位置を決定することを特徴とするリボン作成方法。
【請求項２】
前記タグを取り付ける対象物のサイズ情報を取得するサイズ情報取得ステップを実行し、
前記リボン作成ステップは、選択された前記タグの種類および取得した前記対象物のサイズ情報に応じて、前記リボンテープの長さと、前記リボンテープ上における前記印刷画像および前記取り付けマークの印刷位置と、を決定することを特徴とする請求項１に記載のリボン作成方法。
【請求項３】
前記リボンテープの端部の折り曲げの有無を選択する端部折り曲げ選択ステップを実行し、
前記リボン作成ステップは、前記折り曲げの有無に応じて、前記リボンテープの長さと、前記リボンテープ上における前記印刷画像および前記取り付けマークの印刷位置と、を決定すると共に、「折り曲げ有り」が選択された場合、前記折り曲げの位置を示す折り曲げマークを前記リボンテープに印刷することを特徴とする請求項２に記載のリボン作成方法。
【請求項４】
前記タグの種類として、第１の種類が選択された場合、
前記リボン作成ステップは、前記リボンテープの両端からそれぞれ前記リボンテープの長手方向に所定長離間した２か所の位置に前記取り付けマークを印刷し、前記リボンテープの前記長手方向における１／２ずつの範囲内に、それぞれ第１の前記印刷画像および第２の前記印刷画像を印刷することを特徴とする請求項１ないし３のいずれか１項に記載のリボン作成方法。
【請求項５】
前記タグの種類として、第２の種類が選択された場合、
前記リボン作成ステップは、取得した前記対象物のサイズ情報に応じて変化する長さをＬ１、取得した前記印刷情報に応じて変化する長さをＬ２としたとき、前記リボンテープの長さＬ０（Ｌ０＝Ｌ１×２＋Ｌ２）を決定し、前記リボンテープの一端から前記リボンテープの長手方向に所定長Ｌｓ離間した位置および前記リボンテープの一端から長さ「Ｌ１×２−Ｌｓ」離間した位置に前記取り付けマークを印刷し、前記リボンテープの一端から長さ「Ｌ１×２」離間した位置から前記リボンテープの他端までの範囲内に前記印刷画像を印刷することを特徴とする請求項２に記載のリボン作成方法。
【請求項６】
前記タグの種類として、第３の種類が選択された場合、
前記リボン作成ステップは、取得した前記対象物のサイズ情報に応じて変化する長さをＬ１、取得した前記印刷情報に応じて変化する長さをＬ２としたとき、前記リボンテープの長さＬ０（Ｌ０＝Ｌ１×２＋Ｌ２×２）を決定し、前記リボンテープの一端から前記リボンテープの長手方向に長さ「Ｌ２＋所定長Ｌｓ」離間した位置および前記リボンテープの他端から前記リボンテープの長手方向に長さ「Ｌ２＋Ｌｓ」離間した位置に前記取り付けマークを印刷し、前記リボンテープの一端から長さＬ２離間した位置までの範囲および前記リボンテープの他端から長さＬ２離間した位置までの範囲内に、それぞれ第１の前記印刷画像および第２の前記印刷画像を印刷することを特徴とする請求項２に記載のリボン作成方法。
【請求項７】
リボンテープの一部に形成された切り欠き部に前記リボンテープの端部を挿通することによりリング状のタグを形成するためのリボン作成方法であって、
前記タグの種類を選択するタグ選択ステップと、
印刷情報を取得する印刷情報取得ステップと、
取得した前記印刷情報に基づく印刷画像と、前記切り欠き部の形成位置を示す切り欠きマークとを、前記リボンテープに印刷するリボン作成ステップと、を実行し、
前記リボン作成ステップは、選択された前記タグの種類に応じて、前記リボンテープ上における前記印刷画像および前記切り欠きマークの印刷位置を決定することを特徴とするリボン作成方法。
【請求項８】
前記切り欠き部の切り欠き方向を選択する切り欠き方向選択ステップを実行し、
前記リボン作成ステップは、選択された前記切り欠き方向と、前記リボンテープのテープ幅と、に応じて、前記切り欠きマークの大きさを決定することを特徴とする請求項７に記載のリボン作成方法。
【請求項９】
リボンテープを係止することによりリング状のタグを形成するためのリボンテープを作成するテープ印刷装置であって、
前記タグの種類を選択するタグ選択部と、
印刷情報を取得する印刷情報取得部と、
取得した前記印刷情報に基づく印刷画像と、係止用の留め具の取り付け位置を示す取り付けマークとを、前記リボンテープに印刷するリボン作成部と、を備え、
前記リボン作成部は、選択された前記タグの種類に応じて、前記リボンテープ上における前記印刷画像および前記取り付けマークの印刷位置を決定することを特徴とするテープ印刷装置。
【請求項１０】
リボンテープの一部に形成された切り欠き部に前記リボンテープの端部を挿通することによりリング状のタグを形成するためのリボンテープを作成するテープ印刷装置であって、
前記タグの種類を選択するタグ選択部と、
印刷情報を取得する印刷情報取得部と、
取得した前記印刷情報に基づく印刷画像と、前記切り欠き部の形成位置を示す切り欠きマークとを、前記リボンテープに印刷するリボン作成部と、を備え、
前記リボン作成部は、選択された前記タグの種類に応じて、前記リボンテープ上における前記印刷画像および前記切り欠きマークの印刷位置を決定することを特徴とするテープ印刷装置。
【請求項１１】
コンピューターに、請求項１ないし８のいずれか１項に記載のリボン作成方法における各ステップを実行させるためのプログラム。
【発明の詳細な説明】
【技術分野】
【０００１】
本発明は、リボンテープに印刷を行うリボン作成方法、テープ印刷装置およびプログラムに関する。
【背景技術】
【０００２】
従来、この種の技術として特許文献１が知られている。特許文献１には、ユーザーが設定したラッピング対象物の寸法およびリボン飾り（リボン結び）の種類に応じて、リボン掛けおよびリボン飾りに必要となるリボンテープの長さを算出するテープ長算出装置が開示されている。また、特許文献１には、ユーザーが入力した情報に基づいてリボンテープに印刷画像を印刷することも開示されている。
【０００３】
一方、リボンテープの利用形態の一つとして、名前を印刷したネームタグが挙げられる。ネームタグとしては、リボンテープの２点をスナップボタン等の留め具で固定することによりリング状に形成したしたものや、リボンテープの一部を切り欠き、その切り欠き部にリボンテープの端部を挿通したものなどが知られている。このようなネームタグは、マジック等で直接名前を書きたくない物品（衣類やバッグ等）に取り付けられる。また、取り外しが可能であるため、兄弟で共有するものや、使用する機会の少ない物品への取り付けも便利である。
【先行技術文献】
【特許文献】
【０００４】
【特許文献１】特開２０１４−１８０８３６号公報
【発明の概要】
【発明が解決しようとする課題】
【０００５】
ところで、特許文献１など、従来知られているテープ印刷装置を用いて、上記のようなネームタグを作成しようとすると、留め具やスリットの位置を考慮しつつリボンテープに印刷するための印刷情報を編集しなければならない。例えば、図１７に示すタグ１１０を形成するためのリボンテープ１２０を作成したい場合、まず数個の空白スペースを入力して、リボンテープ１２０の左側における留め具１３１（例えば、スナップボタンの凹側）の取り付け位置を確保し、その後裏面側の名前を示す第１テキスト１４１および表面側の名前を示す第２テキスト１４２を入力し、さらに数個の空白スペースを入力してリボンテープ１２０の右側の留め具１３２（例えば、スナップボタンの凸側）の取り付け位置を確保する、など煩わしい編集作業により印刷データを生成しなければならない。また、このような編集作業を行ったとしても、テキスト１４１，１４２の印刷位置がずれたり、留め具１３１，１３２を不適切な位置に取り付けてしまったりなど、見栄えの良いネームタグを作成するのは困難である。
【０００６】
本発明は、上記の問題点に鑑み、見栄えの良いタグを形成するためのリボンテープを容易に作成することが可能なリボン作成方法、テープ印刷装置およびプログラムを提供することを目的とする。
【課題を解決するための手段】
【０００７】
本発明のリボン作成方法は、リボンテープを係止することによりリング状のタグを形成するためのリボン作成方法であって、タグの種類を選択するタグ選択ステップと、印刷情報を取得する印刷情報取得ステップと、取得した印刷情報に基づく印刷画像と、係止用の留め具の取り付け位置を示す取り付けマークとを、リボンテープに印刷するリボン作成ステップと、を実行し、リボン作成ステップは、選択されたタグの種類に応じて、リボンテープ上における印刷画像および取り付けマークの印刷位置を決定することを特徴とする。なお、これらの各ステップは、コンピューターによって実行されるものである。
【０００８】
本発明のテープ印刷装置は、リボンテープを係止することによりリング状のタグを形成するためのリボンテープを作成するテープ印刷装置であって、タグの種類を選択するタグ選択部と、印刷情報を取得する印刷情報取得部と、取得した印刷情報に基づく印刷画像と、係止用の留め具の取り付け位置を示す取り付けマークとを、リボンテープに印刷するリボン作成部と、を備え、リボン作成部は、選択されたタグの種類に応じて、リボンテープ上における印刷画像および取り付けマークの印刷位置を決定することを特徴とする。
【０００９】
本発明は、ユーザーによって選択されたタグの種類に応じて、印刷画像および取り付けマークの印刷位置を決定する。この構成により、ユーザーは、印刷画像の配置や留め具の取り付け位置を考慮することなく、見栄えの良いタグ形成用のリボンテープを作成することができる。
【００１０】
上記のリボン作成方法において、タグを取り付ける対象物のサイズ情報を取得するサイズ情報取得ステップを実行し、リボン作成ステップは、選択されたタグの種類および取得した対象物のサイズ情報に応じて、リボンテープの長さと、リボンテープ上における印刷画像および取り付けマークの印刷位置と、を決定することを特徴とする。
【００１１】
本発明の構成によれば、対象物のサイズ情報に応じてリボンテープの長さを決定するため、タグの種類と対象物のサイズに適した長さのリボンテープを作成することができる。また、対象物のサイズ情報に応じて印刷画像および取り付けマークの印刷位置を決定するため、対象物のサイズによってタグの見栄えを損ねることがない。
【００１２】
上記のリボン作成方法において、リボンテープの端部の折り曲げの有無を選択する端部折り曲げ選択ステップを実行し、リボン作成ステップは、折り曲げの有無に応じて、リボンテープの長さと、リボンテープ上における印刷画像および取り付けマークの印刷位置と、を決定すると共に、「折り曲げ有り」が選択された場合、折り曲げの位置を示す折り曲げマークをリボンテープに印刷することを特徴とする。
【００１３】
本発明の構成によれば、「折り曲げ有り」を選択することによって、リボンテープが布製の場合などリボンテープ端部のほつれを防止できる。また、「折り曲げ有り」が選択された場合は、折り曲げマークを印刷するため、適切な位置でリボンテープの端部を折り曲げることができる。
【００１４】
上記のリボン作成方法において、タグの種類として、第１の種類が選択された場合、リボン作成ステップは、リボンテープの両端からそれぞれリボンテープの長手方向に所定長離間した２か所の位置に取り付けマークを印刷し、リボンテープの長手方向における１／２ずつの範囲内に、それぞれ第１の印刷画像および第２の印刷画像を印刷することを特徴とする。
【００１５】
本発明の構成によれば、リボンテープの両端部に取り付けられた留め具を留めることによってリング状のタグを形成することができる。また、リボンテープの長手方向における中央部を境界とした２か所に印刷画像を配置することができる。
【００１６】
上記のリボン作成方法において、タグの種類として、第２の種類が選択された場合、リボン作成ステップは、取得した対象物のサイズ情報に応じて変化する長さをＬ１、取得した印刷情報に応じて変化する長さをＬ２としたとき、リボンテープの長さＬ０（Ｌ０＝Ｌ１×２＋Ｌ２）を決定し、リボンテープの一端からリボンテープの長手方向に所定長Ｌｓ離間した位置およびリボンテープの一端から長さ「Ｌ１×２−Ｌｓ」離間した位置に取り付けマークを印刷し、リボンテープの一端から長さ「Ｌ１×２」離間した位置からリボンテープの他端までの範囲内に印刷画像を印刷することを特徴とする。
【００１７】
本発明の構成によれば、円周長さ「Ｌ１×２」のリング部と、長さＬ２の旗部（印刷情報が印刷される部分）と、を有するタグを形成することができる。また、旗部の長さは、印刷情報に応じて変化するため、ユーザーは、旗部の長さを指定する手間を省略できる。
【００１８】
上記のリボン作成方法において、タグの種類として、第３の種類が選択された場合、リボン作成ステップは、取得した対象物のサイズ情報に応じて変化する長さをＬ１、取得した印刷情報に応じて変化する長さをＬ２としたとき、リボンテープの長さＬ０（Ｌ０＝Ｌ１×２＋Ｌ２×２）を決定し、リボンテープの一端からリボンテープの長手方向に長さ「Ｌ２＋所定長Ｌｓ」離間した位置およびリボンテープの他端からリボンテープの長手方向に長さ「Ｌ２＋Ｌｓ」離間した位置に取り付けマークを印刷し、リボンテープの一端から長さＬ２離間した位置までの範囲およびリボンテープの他端から長さＬ２離間した位置までの範囲内に、それぞれ第１の印刷画像および第２の印刷画像を印刷することを特徴とする。
【００１９】
本発明の構成によれば、円周長さ「Ｌ１×２」のリング部と、長さＬ２の２つの旗部と、を有するタグ（アウェアネス・リボンの交差部に留め具を取り付けた形状のタグ）を形成することができる。また、旗部の長さは、印刷情報に応じて変化するため、ユーザーは、旗部の長さを指定する手間を省略できる。
【００２０】
本発明のリボン作成方法は、リボンテープの一部に形成された切り欠き部にリボンテープの端部を挿通することによりリング状のタグを形成するためのリボン作成方法であって、タグの種類を選択するタグ選択ステップと、印刷情報を取得する印刷情報取得ステップと、取得した印刷情報に基づく印刷画像と、切り欠き部の形成位置を示す切り欠きマークとを、リボンテープに印刷するリボン作成ステップと、を実行し、リボン作成ステップは、選択されたタグの種類に応じて、リボンテープ上における印刷画像および切り欠きマークの印刷位置を決定することを特徴とする。なお、これらの各ステップは、コンピューターによって実行されるものである。
【００２１】
本発明のテープ印刷装置は、リボンテープの一部に形成された切り欠き部にリボンテープの端部を挿通することによりリング状のタグを形成するためのリボンテープを作成するテープ印刷装置であって、タグの種類を選択するタグ選択部と、印刷情報を取得する印刷情報取得部と、取得した印刷情報に基づく印刷画像と、切り欠き部の形成位置を示す切り欠きマークとを、リボンテープに印刷するリボン作成部と、を備え、リボン作成部は、選択されたタグの種類に応じて、リボンテープ上における印刷画像および切り欠きマークの印刷位置を決定することを特徴とする。
【００２２】
本発明は、ユーザーによって選択されたタグの種類に応じて、印刷画像および切り欠きマークの印刷位置を決定する。この構成により、ユーザーは、印刷画像の配置や切り欠き位置を考慮することなく、見栄えの良いタグ形成用のリボンテープを作成することができる。また、留め具等を用いることなく、安価且つ容易にタグを形成することができる。
【００２３】
上記のリボン作成方法において、切り欠き部の切り欠き方向を選択する切り欠き方向選択ステップを実行し、リボン作成ステップは、選択された切り欠き方向と、リボンテープのテープ幅と、に応じて、切り欠きマークの大きさを決定することを特徴とする。
【００２４】
本発明の構成によれば、切り欠き部の切り欠き方向と、リボンテープのテープ幅と、に応じて、適切な大きさの切り欠き部を形成することができる。
なお、切り欠きマークの形状は特に限定されること無く、直線状でも良いし、長方形状でも良いし、楕円形状でも良い。
【００２５】
本発明のプログラムは、コンピューターに、上記のリボン作成方法における各ステップを実行させることを特徴とする。
【００２６】
このプログラムを用いることにより、見栄えの良いタグを形成するためのリボンテープを容易に作成することが可能なリボン作成方法を実現できる。
【図面の簡単な説明】
【００２７】
【図１】第１実施形態に係るタイプＡ、タイプＢおよびタイプＣのタグ形成例を示す図である。
【図２】印刷システムの構成図である。
【図３】携帯端末のハードウェア構成を示すブロック図である。
【図４】テープ印刷装置のハードウェア構成を示すブロック図である。
【図５】携帯端末およびテープ印刷装置の機能構成を示すブロック図である。
【図６】第１実施形態に係る設定画面の一例を示す図である。
【図７】テープ端部の折り曲げ加工の有無を示す説明図である。
【図８】タイプＡのリボンテープ作成例を示す図である。
【図９】タイプＢのリボンテープ作成例を示す図である。
【図１０】タイプＣのリボンテープ作成例を示す図である。
【図１１】タイプＡ´、タイプＢ´のタグ形成例を示す図である。
【図１２】第２実施形態に係るタイプＢｓ、タイプＣｓのタグ形成例を示す図である。
【図１３】第２実施形態に係る設定画面の一例を示す図である。
【図１４】タイプＢｓのリボンテープ作成例を示す図である。
【図１５】タイプＣｓのリボンテープ作成例を示す図である。
【図１６】変形例に係るテープ印刷装置の機能構成を示すブロック図である。
【図１７】従来例に係るタグ形成例およびリボンテープ作成例を示す図である。
【発明を実施するための形態】
【００２８】
以下、添付の図面を参照して、本発明のリボン作成方法、テープ印刷装置およびプログラムについて説明する。以下の実施形態では、本発明のリボン作成方法を、携帯端末１とテープ印刷装置３によって実現する。また、第１実施形態では、留め具を用いてリング状のタグを形成する場合について言及し、第２実施形態では、スリット加工を施してリング状のタグを形成する場合について言及する。
【００２９】
[第１実施形態]
第１実施形態では、図１に示す各種タグ５を形成するためのリボンテープＴを作成する。符号５Ａは、「タイプＡ（第１の種類）」のタグ、符号５Ｂは、「タイプＢ（第２の種類）」のタグ、符号５Ｃは、「タイプＣ（第３の種類）」のタグを示す。また、同図において、符号Ｇ１，Ｇ２は、印刷画像、符号６は、スナップボタン等の留め具を示す。留め具６は、専用の工具や打ち具を用いるもの、縫い付けるもの、工具や打ち具を用いず凸ボタンと凹ボタンを嵌め込むタイプのもの、などその種類を問わない。また、本実施形態の「タグ」とは、リボンテープＴを留め具６で係止する（リボンテープＴの２点を留め具６で固定する）ことによりリング状に形成したものを指す。また、リボンテープＴとしては、布や樹脂など可撓性の材料を用いる。
【００３０】
同図に示すように、「タイプＡ」のタグ５Ａは、リング状に巻回されるリング部（対象物への取り付け部）に、第１印刷画像Ｇ１および第２印刷画像Ｇ２が印刷される。また、「タイプＢ」のタグ５Ｂは、第１印刷画像Ｇ１が印刷される旗部と、リング状に巻回されるリング部と、を有する。また、「タイプＣ」のタグ５Ｃは、第１印刷画像Ｇ１が印刷される第１の旗部と、第２印刷画像Ｇ２が印刷される第２の旗部と、リング状に巻回されるリング部と、を有する。
【００３１】
次に、図２を参照し、上記のリボンテープＴを作成する印刷システムＳＹのシステム構成について説明する。印刷システムＳＹは、携帯端末１およびテープ印刷装置３を備える。携帯端末１は、各種タブレット端末、スマートフォン（携帯電話）、ノート型パソコンなどによって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置３と通信する。なお、携帯端末１とテープ印刷装置３間の通信は、ＵＳＢ通信やＥｔｈｅｒｎｅｔ（登録商標）などの有線通信規格を用いても良い。
【００３２】
テープ印刷装置３は、長尺状のリボンテープＴおよびインクリボン（図示省略）が収容されたテープカートリッジ３１が装着され、携帯端末１から印刷データを受信すると、テープカートリッジ３１からリボンテープＴを繰り出しつつ、印刷処理および切断処理を行う。リボンテープＴの印刷済み部分は、切断処理後、テープ排出口３２から排出される。なお、切断処理に代えて、印刷済み部分を手動で切断するためのカットマークを印刷しても良い。
【００３３】
次に、図３および図４を参照し、携帯端末１およびテープ印刷装置３のハードウェア構成について説明する。図３は、携帯端末１のブロック図である。携帯端末１は、ハードウェア構成として、タッチパネル１１、Ｂｌｕｅｔｏｏｔｈ通信部１２、内臓メモリー１３および携帯端末側制御部１４を備えている。
【００３４】
タッチパネル１１は、表示画面１１ａおよび位置入力部１１ｂを含む。表示画面１１ａは、液晶パネルなどによって実現され、後述する設定画面Ｄ（図６参照）など各種情報を表示する。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置３とペアリング処理を行い接続確立した後、無線通信を行う。
【００３５】
内臓メモリー１３は、例えばフラッシュＲＯＭ（登録商標）によって実現され、ＯＳ（Operating  System）１３ａや、専用アプリケーション１３ｂを記憶する。専用アプリケーション１３ｂは、リボンテープＴを作成するためのスマートフォン用アプリケーションである。上記の設定画面Ｄは、当該専用アプリケーション１３ｂの一機能として表示される。
【００３６】
携帯端末側制御部１４は、ＣＰＵ（Central  Processing  Unit）およびＲＡＭ（Random  Access  Memory）等によって実現され、上記の各部（符号１１〜符号１３）と連携し、印刷データの生成処理やテープ印刷装置３との通信制御を行う。
【００３７】
図４は、テープ印刷装置３のブロック図である。テープ印刷装置３は、ハードウェア構成として、Ｂｌｕｅｔｏｏｔｈ通信部３３、カートリッジ検出部３４、印刷機構３５および印刷装置側制御部３６を備えている。
【００３８】
Ｂｌｕｅｔｏｏｔｈ通信部３３は、Ｂｌｕｅｔｏｏｔｈ通信規格に基づいて携帯端末１と通信を行う。カートリッジ検出部３４は、テープカートリッジ３１に収容されたリボンテープＴに関するテープ情報を検出する。テープ情報としては、リボンテープＴのテープ材質、テープ幅、テープ色、文字色（インク色）などを検出する。検出方法としては、テープカートリッジ３１に貼付または印刷されたコード画像（バーコードや２次元コードなど）やＲＦＩＤ（Radio  Frequency  Identification）を読み取る方法、テープカートリッジ３１に形成された１以上の孔の有無を検出する方法、などが考えられる。
【００３９】
印刷機構３５は、印刷ヘッド４１、テープ送りモーター４２、カッターモーター４３およびテープカッター４４を含む。印刷ヘッド４１は、サーマルヘッドであり、繰り出されたリボンテープＴおよびインクリボンテープを、プラテンローラー（図示省略）との間に挟み込んで印刷を行う。テープ送りモーター４２は、繰り出されたリボンテープＴを、印刷ヘッド４１からテープ排出口３２（図２参照）に向けて搬送する。カッターモーター４３は、テープカッター４４を駆動し、テープ送りを一旦停止した状態で、リボンテープＴの印刷済み部分をテープ幅方向に切断する。
【００４０】
印刷装置側制御部３６は、ＣＰＵやＲＡＭ等によって実現され、上記の各部（符号３３〜符号３５）と連携し、携帯端末１との通信制御や印刷制御を行う。具体的には、テープカートリッジ３１の装着時、携帯端末１との通信確立時または携帯端末１からの問い合わせがあったとき、Ｂｌｕｅｔｏｏｔｈ通信部３３を介してカートリッジ検出部３４によって検出したテープ情報を携帯端末１に送信する。また、携帯端末１からＢｌｕｅｔｏｏｔｈ通信部３３を介して印刷データを受信し、当該印刷データに基づいて印刷機構３５を制御する。
【００４１】
次に、図５を参照し、携帯端末１およびテープ印刷装置３の機能構成について説明する。携帯端末１は、機能構成として、入力部５１、表示部５２、リボン設定部５３、印刷データ生成部５４および通信部５５を備える。これらのうちリボン設定部５３および印刷データ生成部５４の機能は、主に上記の専用アプリケーション１３ｂ（図３参照）によって提供される。また、テープ印刷装置３は、機能構成として、通信部７１、印刷部７２および切断部７３を備える。なお、請求項におけるリボン作成部（リボン作成ステップ）は、印刷データ生成部５４、通信部５５、通信部７１、印刷部７２および切断部７３によって実現される。
【００４２】
入力部５１は、タッチパネル１１の操作によって、印刷用の情報である印刷情報（テキスト、画像など）を入力する。表示部５２は、リボン設定部５３により設定された設定情報を表示すると共に、印刷データ生成部５４により生成された印刷データ（印刷プレビューなど）を表示する。
【００４３】
リボン設定部５３は、印刷情報取得部６１、タグ選択部６２、サイズ情報取得部６３および端部折り曲げ選択部６４を含む。印刷情報取得部６１は、入力部５１により入力された印刷情報を取得する（印刷情報取得ステップ）。タグ選択部６２は、タグの種類（図１に示したタイプＡ、タイプＢ、タイプＣのいずれか）を選択する（タグ選択ステップ）。サイズ情報取得部６３は、タグ５を取り付ける対象物の大きさを示すサイズ情報を取得する（サイズ情報取得ステップ）。端部折り曲げ選択部６４は、リボンテープ端部の折り曲げの有無を選択する（端部折り曲げ選択ステップ）。図７に示すように、「折り曲げ有り」が選択された場合、リボンテープＴの端部を内側に折り込んだ状態で留め具６が留められる。これに対し、「折り曲げ無し」が選択された場合は、折り込みを行わず、リボンテープＴの切断端がタグ５の端部となる。
【００４４】
印刷データ生成部５４は、リボン設定部５３により設定された設定情報に基づき、印刷データを生成する。印刷データは、取得した印刷情報に基づく印刷画像Ｇ１，Ｇ２、留め具６の取り付け位置（リボンテープＴの固定位置）を示す取り付けマークＢＭ、端部折り曲げの位置を示す折り曲げマークＦＭを印刷するためのデータと、タグ５を取り付ける対象物の大きさや印刷情報（文字数、文字サイズ、文字間隔など）を考慮したテープ長となるようにリボンテープＴを切断するためのデータと、を含む。通信部５５は、印刷データ生成部５４によって生成された印刷データをテープ印刷装置３に送信する。
【００４５】
一方、テープ印刷装置３の通信部７１は、携帯端末１から印刷データを受信する。印刷部７２は、受信した印刷データに基づいて印刷を行う。また、切断部７３は、受信した印刷データに基づいて、テープカッター４４によりリボンテープＴを切断する。
【００４６】
次に、図６を参照し、設定画面Ｄについて説明する。設定画面Ｄは、リボン設定部５３の各種項目を設定するための画面であり、タグ種類選択領域８１、折り曲げ選択領域８２、イメージ表示領域８３、対象物サイズ入力領域８４、テキスト入力領域８５、ＯＫボタン９１およびキャンセルボタン９２を含む。ＯＫボタン９１が押下されると、設定画面Ｄの設定を完了して、不図示の印刷プレビュー画面を表示する。また、キャンセルボタン９２が押下されると、設定画面Ｄの設定をキャンセルする。なお、設定画面Ｄは、同図に示すように１画面ではなく、幾つかの項目別に複数画面で構成しても良い。
【００４７】
タグ種類選択領域８１では、タグ５の種類が選択される。折り曲げ選択領域８２では、リボンテープＴの端部を折り曲げるか否かが選択される。イメージ表示領域８３は、タグ種類選択領域８１で選択されたタグ５の出来上がりイメージを表示する。同図では、「タイプＡ」のタグ５Ａが選択された場合を示している。
【００４８】
対象物サイズ入力領域８４では、タグ５を取り付ける対象物の大きさが、「幅」、「直径」、「円周」のいずれかで入力される。ここで、「幅」が選択された場合、後述する長さＬ１を、「入力値＋所定長ｘ」に設定する。また、「直径」が選択された場合、後述する長さＬ１を、「（入力値×円周率）／２＋所定長ｘ」に設定する。また、「円周」が選択された場合、後述する長さＬ１を、「入力値＋所定長ｘ」に設定する。なお、「所定長ｘ」は、全て同じ長さでなくても良い。
【００４９】
テキスト入力領域８５では、テキストが入力される。同図の例では、タグ５の種類として「タイプＡ」のタグ５Ａが選択されているため、第１印刷画像Ｇ１用と第２印刷画像Ｇ２用の２つのテキストを入力するための入力欄８６，８７を表示している。なお、「タイプＡ」のタグ５Ａが選択された場合、対象物サイズ入力領域８４で入力された対象物の大きさに応じて、印刷画像Ｇ１，Ｇ２が印刷される印刷領域Ｅ１，Ｅ２のテープ長方向の長さが決まるため、それらの印刷領域Ｅ１，Ｅ２に収まる範囲で入力可能な文字数を制限する（図８参照）。また、各入力欄８６，８７では、テキストの配置（「前寄せ」、「中寄せ」、「均等割付け」、「後寄せ」のいずれか）を選択可能であり、その選択結果に応じて、各印刷領域Ｅ１，Ｅ２にテキストを入力する。なお、特に図示しないが、テキストの配置以外にも、テキストのフォントサイズやフォント種類を選択可能としても良い。また、入力可能な文字数を超えたテキストが入力された場合は、フォントサイズを小さくしても良い。さらに、入力された文字数に応じて印刷領域Ｅ１，Ｅ２をテープ長方向に拡げても良い（この場合、リボンテープの長さＬ０が延長される）。
【００５０】
次に、図８〜図１０を参照し、設定画面Ｄの設定にしたがって作成されるリボンテープＴについて説明する。なお、図１に示したタグ５Ａ、５Ｂ、５Ｃは、それぞれ図８に示すリボンテープＴＡ−１、図９に示すリボンテープＴＢ−１、図１０に示すリボンテープＴＣから形成されるものである。なお、図８〜図１０に示すリボンテープＴは一例を示すものであり、左右反転のリボンテープＴを作成するなど、適宜変更が可能である。
【００５１】
図８は、タグ５の種類として「タイプＡ」が選択された場合に作成されるリボンテープＴＡを示している。端部折り曲げの有無として「折り曲げ無し」が選択された場合は、リボンテープＴＡ−１に示すように、リボンテープＴのテープ長Ｌ０が「Ｌ０＝Ｌ１×２」となる。また、リボンテープＴの先端（図示左端）から所定長Ｌｓ離間した位置に第１取り付けマークＢＭ１を印刷し、リボンテープＴの後端（図示右端）から所定長Ｌｓ離間した位置に第２取り付けマークＢＭ２を印刷する。さらに、リボンテープＴの先端から長さ「Ｌｓ×２」離間した位置を前端としリボンテープＴの先端から長さＬ１離間した位置（リボンテープＴの中心位置）を終端とする領域を第１印刷領域Ｅ１とし、リボンテープＴの後端から長さ「Ｌｓ×２」離間した位置を終端としリボンテープＴの後端から長さＬ１離間した位置（リボンテープＴの中心位置）を前端とする領域を第２印刷領域Ｅ２とする。
【００５２】
なお、所定長Ｌｓは、「取り付けマークＢＭのテープ長方向の長さ／２」よりも長く設定される。「テープ長方向」とは、リボンテープＴの長手方向を指す。また、本実施形態において取り付けマークＢＭの形状および大きさは、タグ５の種類やリボンテープＴのテープ幅によって変化しないため、所定長Ｌｓは固定値である。
【００５３】
一方、端部折り曲げの有無として「折り曲げ有り」が選択された場合は、リボンテープＴＡ−２に示すように、リボンテープＴのテープ長Ｌ０が「Ｌ０＝Ｌ１×２＋所定長Ｌｆ×２」となる。つまり、リボンテープＴＡ−１の両端に、所定長Ｌｆの折り曲げ部を追加し、リボンテープＴの先端から長さＬｆ離間した位置およびリボンテープＴの後端から長さＬｆ離間した位置に、それぞれ第１折り曲げマークＦＭ１および第２折り曲げマークＦＭ２を印刷する。長さＬｆは、「Ｌｆ＞Ｌｓ×２」となるように設定される。折り曲げマークＦＭは、図示した破線に限らず、実線や２点マークなど他のマークでも良い。
【００５４】
なお、リボンテープＴＡについては、図１のタグ５Ａに示す形態ではなく、図１１のタグ５Ａ´（タイプＡ´）に示す形態となるように、タグ５を形成しても良い。この場合も、リボンテープＴの作成結果は図８と同様である。
【００５５】
図９は、タグ５の種類として「タイプＢ」が選択された場合に作成されるリボンテープＴＢを示している。端部折り曲げの有無として「折り曲げ無し」が選択された場合は、リボンテープＴＢ−１に示すように、リボンテープＴのテープ長Ｌ０が「Ｌ０＝Ｌ１×２＋Ｌ２」となる。また、リボンテープＴの先端から所定長Ｌｓ離間した位置に第１取り付けマークＢＭ１を印刷し、リボンテープＴの先端から長さ「Ｌ１×２−Ｌｓ」離間した位置に第２取り付けマークＢＭ２を印刷する。さらに、リボンテープＴの先端から長さ「Ｌ１×２」離間した位置を前端としリボンテープＴの後端を終端とする領域を第１印刷領域Ｅ１とする。長さＬ２は、第１印刷領域Ｅ１に印刷される第１印刷画像Ｇ１の長さによって変化する。
【００５６】
なお、リボンテープＴの先端から長さ「Ｌｓ×２」離間した位置を前端としリボンテープＴの先端から長さＬ１離間した位置を終端とする領域、および／または、リボンテープＴの先端から長さＬ１離間した位置を前端としリボンテープＴの先端から長さ「Ｌ１×２−Ｌｓ×２」離間した位置を終端とする領域を第２の印刷領域としても良い。また、長さＬ２をユーザーが指定する固定長としても良い。
【００５７】
一方、端部折り曲げの有無として「折り曲げ有り」が選択された場合は、リボンテープＴＢ−２に示すように、リボンテープＴのテープ長Ｌ０が「Ｌ０＝Ｌ１×２＋Ｌ２＋所定長Ｌｆ」となる。リボンテープＴＢ−２の場合、リボンテープＴＢ−１の先端に、所定長Ｌｆの折り曲げ部を追加し、リボンテープＴの先端から長さＬｆ離間した位置に、折り曲げマークＦＭを印刷する。
【００５８】
なお、リボンテープＴＢについては、図１のタグ５Ｂに示す形態ではなく、図１１のタグ５Ｂ´（タイプＢ´）に示す形態となるように、タグ５を形成しても良い。この場合も、リボンテープＴの作成結果は図９と同様である。
【００５９】
図１０は、タグ５の種類として「タイプＣ」が選択された場合に作成されるリボンテープＴＣを示している。「タイプＣ」が選択された場合、端部折り曲げの有無は選択不可となる。また、同図に示すように、リボンテープＴのテープ長Ｌ０が「Ｌ０＝Ｌ１×２＋Ｌ２×２」となる。また、リボンテープＴの先端から「Ｌ２＋Ｌｓ」離間した位置に第１取り付けマークＢＭ１を印刷し、リボンテープＴの後端から長さ「Ｌ２＋Ｌｓ」離間した位置に第２取り付けマークＢＭ２を印刷する。さらに、リボンテープＴの先端を前端としリボンテープＴの先端から長さＬ２離間した位置を終端とする領域を第１印刷領域Ｅ１とし、リボンテープＴの後端を終端としリボンテープＴの後端から長さＬ２離間した位置を前端とする領域を第２印刷領域Ｅ２とする。本例において、長さＬ２は、第１印刷領域Ｅ１に印刷される第１印刷画像Ｇ１および第２印刷領域Ｅ２に印刷される第２印刷画像Ｇ２の長さによって変化する。但し、「タイプＣ」の場合、第１印刷領域Ｅ１と第２印刷領域Ｅ２の長さが異なると、タグ５Ｃの左右の旗部の長さが異なり見栄えが悪いため（図１参照）、第１印刷領域Ｅ１と第２印刷領域Ｅ２のいずれか長い方に長さを合わせることが好ましい。
【００６０】
なお、リボンテープＴの先端から長さ「Ｌ２＋Ｌｓ×２」離間した位置を前端としリボンテープＴの先端から長さ「Ｌ２＋Ｌ１×２−Ｌｓ×２」離間した位置を終端とする領域を第３の印刷領域としても良い。
【００６１】
以上説明したとおり、第１実施形態の印刷システムＳＹによれば、ユーザーによって選択されたタグ５の種類に応じて、印刷画像Ｇおよび取り付けマークＢＭの印刷位置を自動的に決定するため、ユーザーは、印刷画像Ｇの配置や留め具６の取り付け位置を考慮することなく、見栄えの良いタグ形成用のリボンテープＴを作成することができる。また、対象物のサイズ情報に応じてリボンテープＴの長さを決定するため、タグ５の種類と対象物のサイズに適した長さのリボンテープＴを作成することができる。さらに、端部折り曲げの有無が選択可能であり、「折り曲げ有り」を選択することにより、リボンテープＴが布製の場合など端部のほつれを防止できる。また、「折り曲げ無し」を選択することにより、リボンテープＴのテープ使用量を節約できる。
【００６２】
［第２実施形態］
次に、図１２〜図１５を参照し、本発明の第２実施形態について説明する。本実施形態では、スリット加工を施してリング状のタグ５を形成することを特徴とする。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６３】
本実施形態では、図１２に示すタグ５を形成するためのリボンテープＴを作成する。符号５Ｂｓは、「タイプＢｓ」のタグ、符号５Ｃｓは、「タイプＣｓ」のタグを示す。また、同図において、符号７は、スリット（切り欠き部）を示す。同図に示すように、「タイプＢｓ」のタグ５Ｂｓは、第１印刷画像Ｇ１が印刷される旗部と、リング状に巻回されるリング部と、を有する。また、当該リング部は、リボンテープＴに形成されたスリット７にリボンテープＴの端部を挿通することにより形成される。また、「タイプＣｓ」のタグ５Ｃｓは、第１印刷画像Ｇ１が印刷される第１の旗部と、第２印刷画像Ｇ２が印刷される第２の旗部と、リング状に巻回されるリング部と、を有する。タグ５Ｃｓのリング部も、タグ５Ｂｓと同様に、リボンテープＴに形成されたスリット７にリボンテープＴの端部を挿通することにより形成される。
【００６４】
本実施形態の機能構成は、特に図示しないが、図５に示した携帯端末１のリボン設定部５３内に、切り欠き方向選択部を追加した構成となる。図１３は、本実施形態に係る設定画面Ｄの一例を示す図である。本実施形態の設定画面Ｄは、第１実施形態の設定画面Ｄ（図６参照）に、切り欠き方向選択領域８８を追加した構成となる。なお、同図の例では、タグ５の種類として「タイプＢｓ」が選択されているため、テキスト入力領域８５には、第１印刷画像Ｇ１用のテキストを入力するための１つの入力欄のみ表示されている。切り欠き方向選択領域８８では、スリット７を、テープ幅方向と平行に形成するか、テープ長方向と平行に形成するか、のいずれかが選択される（切り欠き方向選択ステップ）。図１２に示したタグ５Ｂｓは、切り欠き方向として「テープ幅方向」が選択された場合、タグ５Ｃｓは、切り欠き方向として「テープ長方向」が選択された場合をそれぞれ示している。
【００６５】
図１４は、タグ５の種類として「タイプＢｓ」が選択された場合に作成されるリボンテープＴＢｓを示している。図１２に示したタグ５Ｂｓは、図１４に示すリボンテープＴＢｓ−１から形成される。端部折り曲げの有無として「折り曲げ無し」が選択された場合は、リボンテープＴＢｓ−１に示すように、リボンテープＴのテープ長Ｌ０が「Ｌ０＝Ｌｍ＋Ｌ１×２＋Ｌ２」となる。切り欠き方向として「テープ幅方向」が選択された場合、長さＬｍは所定長となる。また、長さＬ１は、対象物のサイズ情報に応じて変化する長さであり、長さＬ２は、印刷情報に応じて変化する長さである。また、リボンテープＴＢｓ−１は、リボンテープＴの先端から長さＬｍ離間した位置に切り欠きマークＳＭを印刷する。ユーザーは、当該切り欠きマークＳＭに沿ってカッター等で切り込みを入れることにより、スリット７を形成する。なお、切り欠き方向として「テープ幅方向」が選択された場合、切り欠きマークＳＭの長さ（＝スリット７の長さ）は、「テープ幅−所定長ｘ」となる。また、リボンテープＴＢｓ−１は、リボンテープＴの後端から長さＬ２までの領域を第１印刷領域Ｅ１とする。
【００６６】
なお、リボンテープＴの先端から長さＬｍ離間した位置を前端としリボンテープＴの先端から長さ「Ｌｍ＋Ｌ１」離間した位置を終端とする領域、および／または、リボンテープＴの先端から長さ「Ｌｍ＋Ｌ１」離間した位置を前端としリボンテープＴの先端から長さ「Ｌｍ＋Ｌ１×２」離間した位置を終端とする領域を第２の印刷領域としても良い。
【００６７】
一方、端部折り曲げの有無として「折り曲げ有り」が選択された場合は、リボンテープＴＢｓ−２に示すように、リボンテープＴのテープ長Ｌ０が「Ｌ０＝所定長Ｌｆ＋Ｌｍ＋Ｌ１×２＋Ｌ２」となる。つまり、リボンテープＴＢｓ−２は、リボンテープＴＢｓ−１の先端に、所定長Ｌｆの折り曲げ部を追加し、リボンテープＴの先端から長さＬｆ離間した位置に、折り曲げマークＦＭを印刷したものとなる。なお、所定長Ｌｆは、Ｌｆ＞Ｌｍとなるように設定される。
【００６８】
図１５は、タグ５の種類として「タイプＣｓ」が選択された場合に作成されるリボンテープＴＣｓを示している。「タイプＣｓ」が選択された場合、端部折り曲げの有無は選択不可となる。また、リボンテープＴのテープ長Ｌ０が「Ｌ０＝Ｌ２×２＋Ｌ１×２＋Ｌｍ×２」となる。また、リボンテープＴの先端から長さＬ２離間した位置から、長さ「Ｌ２＋Ｌｍ」離間した位置までの範囲内に、切り欠きマークＳＭを印刷する。切り欠き方向として「テープ長方向」が選択された場合、切り欠きマークＳＭの長さ（＝スリット７の長さ）は、本実施形態では「テープ幅」としているが、切り欠きマークＳＭの長さを、「テープ幅±所定長ｘ」としても良い。また、切り欠き方向として「テープ長方向」が選択された場合、長さＬｍは、「切り欠きマークＳＭの長さ＋所定長ｘ」となる。また、リボンテープＴＣｓは、リボンテープＴの先端を前端としリボンテープＴの先端から長さＬ２離間した位置を終端とする領域を第１印刷領域Ｅ１とし、リボンテープＴの後端を終端としリボンテープＴの後端から長さＬ２離間した位置を前端とする領域を第２印刷領域Ｅ２とする。本例においても、「タイプＣ」と同様に、長さＬ２は、第１印刷領域Ｅ１と第２印刷領域Ｅ２のいずれか長い方に長さを合わせることが好ましい。
【００６９】
なお、リボンテープＴの先端から長さ「Ｌ２＋Ｌｍ」離間した位置を前端としリボンテープＴの先端から長さ「Ｌ２＋Ｌｍ＋Ｌ１×２」離間した位置を終端とする領域を第３の印刷領域としても良い。
【００７０】
以上説明したとおり、第２実施形態の印刷システムＳＹによれば、ユーザーによって選択されたタグ５の種類に応じて、印刷画像Ｇおよび切り欠きマークＳＭの印刷位置を自動的に決定するため、ユーザーは、印刷画像Ｇの配置やスリット７の形成位置を考慮することなく、見栄えの良いタグ形成用のリボンテープＴを作成することができる。また、留め具等を用いる必要がないため、安価且つ容易にタグ５を形成することができる。さらに、切り欠き方向として「テープ長方向」が選択された場合、リボンテープＴのテープ幅に応じて切り欠きマークＳＭの長さを決定するため、スリット７が不適切な長さに形成されることを防止できる。
【００７１】
以上、２つの実施形態を示したが、各実施形態では以下の変形例を採用可能である。
[変形例１]
第２実施形態では、切り欠きマークＳＭとして直線状のマークを例示したが、長方形状でも良いし、楕円形状でも良い。また、切り欠きマークＳＭの大きさを、リボンテープＴの材質やタグ５の種類に応じて変更しても良い。さらに、切り欠き方向を、リボンテープＴの材質やタグ５の種類に応じて決定しても良い。
【００７２】
[変形例２]
同様に、第１実施形態において、取り付けマークＢＭのマーク形状を円形ではなく、「プラスマーク（＋）」や「点（・）」など他の形状としても良い。また、取り付けマークＢＭの大きさを、リボンテープＴのテープ幅、リボンテープＴの材質、タグ５の種類等に応じて変更しても良い。さらに、リボンテープＴのテープ幅に応じて、取り付けマークＢＭの個数を変更しても良い。この場合、取り付けマークＢＭは、テープ幅方向に複数個並べて印刷することが好ましい。
【００７３】
[変形例３]
また、第１実施形態および第２実施形態では、印刷画像Ｇとして文字を印刷する場合を例示したが、バーコードや２次元コードなどのコード画像を印刷しても良い。この場合、第１印刷画像Ｇ１用に入力されたテキストを利用して、第２印刷画像Ｇ２用のコード画像を生成しても良い。また、さらなる変形例として、第１印刷画像Ｇ１と第２印刷画像Ｇ２の文字の並び方向（縦書き／横書き）と、第１印刷画像Ｇ１の文字に対して第２印刷画像Ｇ２の文字を１８０度回転させて印刷するか否か、などをユーザーが選択可能としても良い。
【００７４】
[変形例４]
また、両実施形態では、テープカートリッジ３１によりリボンテープＴを供給したが、必ずしもカートリッジで供給しなくても良い。例えば、市販の各種装飾テープを装填可能な構成とし、当該装飾テープに対して印刷および切断を行うことで、上記の実施形態のリボンテープＴを作成しても良い。
【００７５】
[変形例５]
また、両実施形態の印刷情報取得部６１は、入力部５１によって入力された印刷情報を取得したが、外部記憶媒体から読み出された印刷情報を取得しても良いし、外部装置から送信された印刷情報を取得しても良い。また、定型文を複数記憶しておき、それらの中から選択された定型文を取得しても良い。
【００７６】
[変形例６]
また、両実施形態では、本発明のリボン作成方法を、携帯端末１とテープ印刷装置３によって実現したが、テープ印刷装置３単体で実現しても良い。図１６は、本変形例に係るテープ印刷装置３の機能構成を示すブロック図である。テープ印刷装置３は、入力部５１、表示部５２、リボン設定部５３およびリボン作成部６０を備える。また、リボン作成部６０は、印刷データ生成部５４、印刷部７２および切断部７３を含む。請求項におけるリボン作成ステップは、リボン作成部６０によって実現される。本変形例によれば、テープ印刷装置３のみの簡易な構成で、第１実施形態および第２実施形態に示したリボンテープＴを作成することができる。
【００７７】
[その他の変形例]
上記の両実施形態および変形例に示した携帯端末１またはテープ印刷装置３における各構成要素をプログラムとして提供しても良い。また、そのプログラムを各種記録媒体（ＣＤ−ＲＯＭ、フラッシュメモリー等）に格納して提供しても良い。すなわち、コンピューターを携帯端末１またはテープ印刷装置３の各構成要素として機能させるためのプログラム（専用アプリケーション１３ｂを含む）、およびそれを記録した記録媒体も、本発明の権利範囲に含まれる。その他、携帯端末１またはテープ印刷装置３の各部（各機能）をクラウドコンピューティングで実現したり、携帯端末１を他の情報処理装置で実現するなど、本発明の要旨を逸脱しない範囲で、適宜変更が可能である。
【符号の説明】
【００７８】
１…携帯端末、３…テープ印刷装置、５１…入力部、５２…表示部、５３…リボン設定部、５４…印刷データ生成部、５５…通信部、６１…印刷情報取得部、６２…タグ選択部、６３…サイズ情報取得部、６４…端部折り曲げ選択部、７１…通信部、７２…印刷部、７３…切断部
【図１】
0006621332.tif 000002
【図２】
0006621332.tif 000003
【図３】
0006621332.tif 000004
【図４】
0006621332.tif 000005
【図５】
0006621332.tif 000006
【図６】
0006621332.tif 000007
【図７】
0006621332.tif 000008
【図８】
0006621332.tif 000009
【図９】
0006621332.tif 000010
【図１０】
0006621332.tif 000011
【図１１】
0006621332.tif 000012
【図１２】
0006621332.tif 000013
【図１３】
0006621332.tif 000014
【図１４】
0006621332.tif 000015
【図１５】
0006621332.tif 000016
【図１６】
0006621332.tif 000017
【図１７】
0006621332.tif 000018